(57)【要約】  本発明の実施例はデータマッピング伝送方法及び関連製品を開示し、送信対象のデータをＮ個の符号化ブロックに分解し、Ｎ個の符号化ブロックを少なくともＭ個の符号化ブロック群に分けるステップと、Ｍ個の符号化ブロック群を１つ又は複数の伝送ユニットにマッピングしてベアラ伝送を行い、Ｍ個の符号化ブロック群は少なくとも第１符号化ブロック群及び第２符号化ブロック群を含み、１つ又は複数の伝送ユニットは第１符号化ブロック群に対応する第１物理リソース及び第２符号化ブロック群に対応する第２物理リソースを少なくとも含み、第１符号化ブロック群の情報量パラメータと第２符号化ブロック群の情報量パラメータとは予め設定された関係を満たし、第１物理リソースの時間領域位置が第２物理リソースの時間領域位置よりも前にあるステップと、を含む。本発明の実施例は、通信システムのデータ伝送遅延を減少させ、データ伝送効率を向上させ、ユーザエクスペリエンスを高めることに有利である。
2020528227.tif 000002
【特許請求の範囲】
【請求項１】
データマッピング伝送方法であって、
送信対象のデータをＮ個の符号化ブロックに分解し、前記Ｎ個の符号化ブロックを少なくともＭ個の符号化ブロック群に分け、任意の２つの符号化ブロック群に含まれる符号化ブロック数の差は設定値以下であり、Ｎ、Ｍが正整数で、ＮがＭ以上で、Ｍが２以上であるステップと、
前記Ｍ個の符号化ブロック群を１つ又は複数の伝送ユニットにマッピングしてベアラ伝送を行い、前記Ｍ個の符号化ブロック群は少なくとも第１符号化ブロック群及び第２符号化ブロック群を含み、前記１つ又は複数の伝送ユニットは前記第１符号化ブロック群に対応する第１物理リソース及び前記第２符号化ブロック群に対応する第２物理リソースを少なくとも含み、前記第１符号化ブロック群の情報量パラメータと前記第２符号化ブロック群の情報量パラメータとは予め設定された関係を満たし、前記第１物理リソースの時間領域位置は前記第２物理リソースの時間領域位置よりも前にあるステップと、を含むことを特徴とする
データマッピング伝送方法。
【請求項２】
前記情報量パラメータは、
符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含むことを特徴とする
請求項１に記載の方法。
【請求項３】
前記予め設定された関係は、前記第１符号化ブロック群の情報量パラメータが前記第２符号化ブロック群の情報量パラメータより大きいことであることを特徴とする
請求項１又は２に記載の方法。
【請求項４】
前記第１符号化ブロック群内の符号化ブロック数は前記第２符号化ブロック群内の符号化ブロック数より大きいことを特徴とする
請求項１−３のいずれか１項に記載の方法。
【請求項５】
前記第１符号化ブロック群内の符号化ブロック数は前記第２符号化ブロック群内の符号化ブロック数に等しく、第１符号化ブロック群内の符号化ブロックに使用される変調符号化レベルは前記第２符号化ブロック群内の符号化ブロックに使用される変調符号化レベルより高いことを特徴とする
請求項１−３のいずれか１項に記載の方法。
【請求項６】
前記第１符号化ブロック群内の符号化ブロック数は前記第２符号化ブロック群内の符号化ブロック数に等しく、第１符号化ブロック群内の符号化ブロックの符号化レートは前記第２符号化ブロック群内の符号化ブロックに使用される符号化レートより大きいことを特徴とする
請求項１−３のいずれか１項に記載の方法。
【請求項７】
前記第１符号化ブロック群内の符号化ブロック数は前記第２符号化ブロック群内の符号化ブロック数に等しく、第１符号化ブロック群内の符号化ブロックの元ビット数は前記第２符号化ブロック群内の符号化ブロックの元ビット数より大きいことを特徴とする
請求項１−３のいずれか１項に記載の方法。
【請求項８】
前記伝送ユニットは通信システムにより指定された伝送リソースを示し、
前記物理リソースは周波数領域リソース又はコード領域リソースをさらに含むことを特徴とする
請求項１−７のいずれか１項に記載の方法。
【請求項９】
データマッピング伝送方法であって、
１つ又は複数の伝送ユニットにマッピングされたＭ個の符号化ブロック群を受信し、前記Ｍ個の符号化ブロック群はＮ個の符号化ブロックにより分けられ、前記Ｎ個の符号化ブロックは送信対象のデータにより分解され、任意の２つの符号化ブロック群に含まれる符号化ブロック数の差は設定値以下であり、前記Ｍ個の符号化ブロック群は少なくとも第１符号化ブロック群及び第２符号化ブロック群を含み、前記１つ又は複数の伝送ユニットは前記第１符号化ブロック群に対応する第１物理リソース及び前記第２符号化ブロック群に対応する第２物理リソースを少なくとも含み、前記第１符号化ブロック群の情報量パラメータと前記第２符号化ブロック群の情報量パラメータとは予め設定された関係を満たし、前記第１物理リソースの時間領域位置は前記第２物理リソースの時間領域位置よりも前にあり、Ｎ、Ｍが正整数で、ＮがＭ以上で、Ｍが２以上であるステップと、
前記Ｍ個の符号化ブロック群を受信した後に、前記Ｍ個の符号化ブロック群を復号するステップと、を含むことを特徴とする
データマッピング伝送方法。
【請求項１０】
前記情報量パラメータは、
符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含むことを特徴とする
請求項９に記載の方法。
【請求項１１】
前記予め設定された関係は、前記第１符号化ブロック群の情報量パラメータが前記第２符号化ブロック群の情報量パラメータより大きいことであることを特徴とする
請求項９又は１０に記載の方法。
【請求項１２】
前記第１符号化ブロック群内の符号化ブロック数は前記第２符号化ブロック群内の符号化ブロック数より大きいことを特徴とする
請求項９−１１のいずれか１項に記載の方法。
【請求項１３】
前記第１符号化ブロック群内の符号化ブロック数は前記第２符号化ブロック群内の符号化ブロック数に等しく、第１符号化ブロック群内の符号化ブロックに使用される変調符号化レベルは前記第２符号化ブロック群内の符号化ブロックに使用される変調符号化レベルより高いことを特徴とする
請求項９−１１のいずれか１項に記載の方法。
【請求項１４】
前記第１符号化ブロック群内の符号化ブロック数は前記第２符号化ブロック群内の符号化ブロック数に等しく、第１符号化ブロック群内の符号化ブロックの符号化レートは前記第２符号化ブロック群内の符号化ブロックに使用される符号化レートより大きいことを特徴とする
請求項９−１１のいずれか１項に記載の方法。
【請求項１５】
前記第１符号化ブロック群内の符号化ブロック数は前記第２符号化ブロック群内の符号化ブロック数に等しく、第１符号化ブロック群内の符号化ブロックの元ビット数は前記第２符号化ブロック群内の符号化ブロックの元ビット数より大きいことを特徴とする
請求項９−１１のいずれか１項に記載の方法。
【請求項１６】
前記伝送ユニットは通信システムにより指定された伝送リソースを示し、
前記物理リソースは周波数領域リソース又はコード領域リソースをさらに含むことを特徴とする
請求項９−１１のいずれか１項に記載の方法。
【請求項１７】
データマッピング伝送装置であって、送信側装置に適用され、前記装置は分解ユニット及び伝送ユニットを備え、
前記分解ユニットは、送信対象のデータをＮ個の符号化ブロックに分解し、前記Ｎ個の符号化ブロックを少なくともＭ個の符号化ブロック群に分けるように構成され、任意の２つの符号化ブロック群に含まれる符号化ブロック数の差は設定値以下であり、Ｎ、Ｍが正整数で、ＮがＭ以上で、Ｍが２以上であり、
前記伝送ユニットは、前記Ｍ個の符号化ブロック群を１つ又は複数の伝送ユニットにマッピングしてベアラ伝送を行うように構成され、前記Ｍ個の符号化ブロック群は少なくとも第１符号化ブロック群及び第２符号化ブロック群を含み、前記１つ又は複数の伝送ユニットは前記第１符号化ブロック群に対応する第１物理リソース及び前記第２符号化ブロック群に対応する第２物理リソースを少なくとも含み、前記第１符号化ブロック群の情報量パラメータと前記第２符号化ブロック群の情報量パラメータとは予め設定された関係を満たし、前記第１物理リソースの時間領域位置は前記第２物理リソースの時間領域位置よりも前にあることを特徴とする
データマッピング伝送装置。
【請求項１８】
データマッピング伝送装置であって、受信側装置に適用され、前記装置は受信ユニット及び復号ユニットを備え、
前記受信ユニットは、１つ又は複数の伝送ユニットにマッピングされたＭ個の符号化ブロック群を受信するように構成され、前記Ｍ個の符号化ブロック群はＮ個の符号化ブロックにより分けられ、前記Ｎ個の符号化ブロックは送信対象のデータにより分解され、任意の２つの符号化ブロック群に含まれる符号化ブロック数の差は設定値以下であり、前記Ｍ個の符号化ブロック群は少なくとも第１符号化ブロック群及び第２符号化ブロック群を含み、前記１つ又は複数の伝送ユニットは前記第１符号化ブロック群に対応する第１物理リソース及び前記第２符号化ブロック群に対応する第２物理リソースを少なくとも含み、前記第１符号化ブロック群の情報量パラメータと前記第２符号化ブロック群の情報量パラメータとは予め設定された関係を満たし、前記第１物理リソースの時間領域位置は前記第２物理リソースの時間領域位置よりも前にあり、Ｎ、Ｍが正整数で、ＮがＭ以上で、Ｍが２以上であり、
前記復号ユニットは、前記Ｍ個の符号化ブロック群を受信した後に、前記Ｍ個の符号化ブロック群を復号するように構成されることを特徴とする
データマッピング伝送装置。
【請求項１９】
送信側装置であって、プロセッサ、メモリ、ＲＦチップ、及びプログラムを備え、前記プログラムは、前記メモリに記憶され、前記プロセッサにより実行されるように設定され、前記プログラムは請求項１−７のいずれか１項に記載の方法のステップを実行するための指令を含むことを特徴とする
送信側装置。
【請求項２０】
受信側装置であって、プロセッサ、メモリ、通信インタフェース、及びプログラムを備え、前記プログラムは、前記メモリに記憶され、前記プロセッサにより実行されるように設定され、前記プログラムは請求項８−１４のいずれか１項に記載の方法のステップを実行するための指令を含むことを特徴とする
受信側装置。
【請求項２１】
コンピュータ記憶媒体であって、請求項１−１４のいずれか１項に記載の方法をコンピュータに実行させるコンピュータプログラムを記憶し、前記コンピュータは受信側装置及び送信側装置を備えることを特徴とする
コンピュータ記憶媒体。
【発明の詳細な説明】
【技術分野】
【０００１】
本発明は通信技術分野に関し、特にデータマッピング伝送方法及び関連製品に関する。
【背景技術】
【０００２】
第５世代移動通信技術（５Ｇ：５ｔｈ−Ｇｅｎｅｒａｔｉｏｎ）ＮＲは第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）組織で新たに提案された１つの課題である。次世代５Ｇ技術の検討が徐々に深まるに伴い、一方では、通信システムは後方互換性があるので、後に開発される新技術はその前に標準化された技術と互換性がある傾向があり、他方では、第４世代移動通信技術（４Ｇ：ｔｈｅ  ４ｔｈ  Ｇｅｎｅｒａｔｉｏｎ  ｍｏｂｉｌｅ  ｃｏｍｍｕｎｉｃａｔｉｏｎ）ＬＴＥが既に数多くの従来の設計を有しているため、互換性を達成するために、必然的に５Ｇの柔軟性を犠牲し、それにより性能が低下する。従って、現在、３ＧＰＰ組織では２つの並行した研究が行われており、そのうち、後方互換性を考慮しない技術検討グループは、５Ｇ  ＮＲと呼称される。
【０００３】
ＬＴＥシステムでは、トランスポートブロック（ＴＢ：Ｔｒａｎｓｐｏｒｔ  ｂｌｏｃｋ）は媒体アクセス制御（ＭＡＣ：Ｍｅｄｉａ  Ａｃｅｓｓ  Ｃｏｎｔｒｏｌ）プロトコルデータユニット（ＰＤＵ：Ｐｒｏｔｏｃｏｌ  Ｄａｔａ  Ｕｎｉｔ）を含むデータブロックを指し、このデータブロックは、１つの伝送時間間隔（ＴＴＩ：Ｔｒａｎｓｍｉｓｓｉｏｎ  Ｔｉｍｅ  Ｉｎｔｅｒｖａｌ）で伝送され、同時にハイブリット自動再送要求（ＨＡＲＱ：Ｈｙｂｒｉｄ  Ａｕｔｏｍａｔｉｃ  Ｒｅｐｅａｔ  Ｒｅｑｕｅｓｔ）におけるデータ再送のための単位である。ＬＴＥシステムでは、各端末に対して１つのＴＴＩで最大２つのトランスポートブロックを送信できると規定されている。ＬＴＥシステムでは、当該トランスポートブロックは複数の小さい符号化ブロックに分割され、各符号化ブロックが独立して符号化される。いずれかの符号化ブロックの復号が失敗すると、受信側は送信側に統一の肯定応答ＡＣＫ／否定応答ＮＡＣＫ情報をフィードバックし、そして送信側はトランスポートブロック全体を再送する。
【０００４】
５Ｇ  ＮＲシステムでは、伝送効率を向上させるために、符号化ブロック群に基づくフィードバック及び再送をサポートすることが決定されており、１つのトランスポートブロックは少なくとも１つの符号化ブロック群を含み、１つの符号化ブロック群は少なくとも１つの符号化ブロックを含む。送信側は、トランスポートブロック全体を再送する必要がなく、復号が失敗した符号化ブロック群内の符号化ブロックを再送するだけでよい。
【０００５】
異なる符号化ブロック群内に含まれる符号化ブロック数又は符号化レート等が異なる場合、如何にリソースマッピングを行えば受信側の復号遅延をできるだけ減少させるかは解決する必要がある問題である。
【発明の概要】
【発明が解決しようとする課題】
【０００６】
本発明の実施例はデータマッピング伝送方法及び関連製品を提供することにより、通信システムのデータ伝送遅延を減少させ、データ伝送効率を向上させ、ユーザエクスペリエンスを高める。
【課題を解決するための手段】
【０００７】
第１態様では、本発明の実施例は、データマッピング伝送方法を提供し、
送信対象のデータをＮ個の符号化ブロックに分解し、上記Ｎ個の符号化ブロックを少なくともＭ個の符号化ブロック群に分け、任意の２つの符号化ブロック群に含まれる符号化ブロック数の差は設定値以下であり、Ｎ、Ｍが正整数で、ＮがＭ以上で、Ｍが２以上であるステップと、
上記Ｍ個の符号化ブロック群を１つ又は複数の伝送ユニットにマッピングしてベアラ伝送を行い、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にあるステップと、を含む。
【０００８】
第２態様では、本発明の実施例は、データマッピング伝送方法を提供し、
１つ又は複数の伝送ユニットにマッピングされたＭ個の符号化ブロック群を受信し、上記Ｍ個の符号化ブロック群はＮ個の符号化ブロックにより分けられ、上記Ｎ個の符号化ブロックは送信対象のデータにより分解され、任意の２つの符号化ブロック群に含まれる符号化ブロック数の差は設定値以下であり、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にあり、Ｎ、Ｍが正整数で、ＮがＭ以上で、Ｍが２以上であるステップと、
上記Ｍ個の符号化ブロック群を受信した後に、上記Ｍ個の符号化ブロック群を復号するステップと、を含む。
【０００９】
第３態様では、本発明の実施例は、データマッピング伝送装置を提供し、送信側装置に適用され、上記装置は分解ユニット及び伝送ユニットを備え、
上記分解ユニットは、送信対象のデータをＮ個の符号化ブロックに分解し、上記Ｎ個の符号化ブロックを少なくともＭ個の符号化ブロック群に分けるように構成され、任意の２つの符号化ブロック群に含まれる符号化ブロック数の差は設定値以下であり、Ｎ、Ｍが正整数で、ＮがＭ以上で、Ｍが２以上であり、
上記伝送ユニットは、上記Ｍ個の符号化ブロック群を１つ又は複数の伝送ユニットにマッピングしてベアラ伝送を行うように構成され、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にある。
【００１０】
第４態様では、本発明の実施例は、データマッピング伝送装置を提供し、受信側装置に適用され、上記装置は受信ユニット及び復号ユニットを備え、
上記受信ユニットは、１つ又は複数の伝送ユニットにマッピングされたＭ個の符号化ブロック群を受信するように構成され、上記Ｍ個の符号化ブロック群はＮ個の符号化ブロックにより分けられ、上記Ｎ個の符号化ブロックは送信対象のデータにより分解され、任意の２つの符号化ブロック群に含まれる符号化ブロック数の差は設定値以下であり、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にあり、Ｎ、Ｍが正整数で、ＮがＭ以上で、Ｍが２以上であり、
上記復号ユニットは、上記Ｍ個の符号化ブロック群を受信した後に、上記Ｍ個の符号化ブロック群を復号するように構成される。
【００１１】
第５態様では、本発明の実施例は送信側装置を提供し、プロセッサ、メモリ、ＲＦチップ、及びプログラムを備え、上記プログラムは、上記メモリに記憶され、上記プロセッサにより実行されるように設定され、上記プログラムは本発明実施例の第１態様のいずれかの方法のステップを実行するための指令を含む。
【００１２】
第６態様では、本発明の実施例は受信側装置を提供し、プロセッサ、メモリ、通信インタフェース、及びプログラムを備え、上記プログラムは、上記メモリに記憶され、上記プロセッサにより実行されるように設定され、上記プログラムは本発明実施例の第２態様のいずれかの方法のステップを実行するための指令を含む。
【００１３】
第７態様では、本発明の実施例はコンピュータ記憶媒体を提供し、本発明実施例の第１態様又は第２態様のいずれかの方法のステップをコンピュータに実行させるコンピュータプログラムを記憶し、上記コンピュータは受信側装置及び送信側装置を備える。
【００１４】
第８態様では、本発明の実施例はコンピュータプログラム製品を提供し、本発明実施例の第１態様又は第２態様のいずれかの方法のステップをコンピュータに実行させるコンピュータプログラムを含み、上記コンピュータは受信側装置及び送信側装置を備える。
【発明の効果】
【００１５】
以上から分かるように、本発明の実施例では、通信システムにおける伝送対象のデータはＭ個の符号化ブロック群に分けられ、且つ当該Ｍ個の符号化ブロック群はＭ個の物理リソースにマッピングされてベアラ伝送が行われ、当該Ｍ個の物理リソースは第１符号化ブロック群に対応する第１物理リソース及び第２符号化ブロック群に対応する第２物理リソースを少なくとも含み、第１符号化ブロック群の情報量パラメータは第２符号化ブロック群の情報量パラメータより大きく、且つ第１物理リソースの時間領域位置は第２物理リソースの時間領域位置よりも前にあるので、Ｍ個の連続した符号化ブロック群のうち復号遅延が大きい符号化ブロック群に対応する物理リソースの時間領域位置が前にあり、対応する受信側装置は復号遅延が大きい符号化ブロック群を早く受信することができ、当該符号化ブロック群の復号遅延をできるだけ多くの後続符号化ブロック群の伝送遅延により相殺することができ、それによりデータ受信の全体的な遅延を減少させ、通信システムのデータ伝送効率を向上させ、ユーザエクスペリエンスを高めることに有利である。
【図面の簡単な説明】
【００１６】
以下、実施例又は従来技術の説明に使用される図面を簡単に説明する。
【図１】本発明の実施例に係る例示的な通信システムの可能なネットワークアーキテクチャである。
【図２】本発明の実施例に係る、データマッピング伝送方法の通信模式図である。
【図３Ａ】本発明の実施例に係る、５Ｇ  ＮＲシステムにおけるデータマッピング伝送の模式図である。
【図３Ｂ】本発明の実施例に係る、別の５Ｇ  ＮＲシステムにおけるデータマッピング伝送の模式図である。
【図４】本発明の実施例に係る送信側装置の構造模式図である。
【図５】本発明の実施例に係る受信側装置の構造模式図である。
【図６】本発明の実施例に係る送信側装置の機能ユニットの構成ブロック図である。
【図７】本発明の実施例に係る受信側装置の機能ユニットの構成ブロック図である。
【発明を実施するための形態】
【００１７】
図１は本発明の実施例に係る例示的な通信システムの可能なネットワークアーキテクチャである。当該例示的な通信システムは、たとえばグローバル移動通信システム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、時分割多元接続（ＴＤＭＡ：Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）、周波数分割多元接続（ＦＤＭＡ：Ｆｒｅｑｕｅｎｃｙ  Ｄｉｖｉｓｉｏｎ  Ｍｕｌｔｉｐｌｅ  Ａｄｄｒｅｓｓｉｎｇ）システム、直交周波数分割多元接続（ＯＦＤＭＡ：Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、単一搬送波ＦＤＭＡ（ＳＣ−ＦＤＭＡ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、ＬＴＥシステム、５Ｇ  ＮＲシステム及び他のこのような通信システムであってもよい。当該例示的な通信システムは具体的にネットワーク側装置及び端末を備え、端末はネットワーク側装置により提供された移動通信ネットワークにアクセスするときに、ネットワーク側装置と無線リンクで通信接続でき、当該通信接続モードはシングル接続モード又はデュアル接続モード又はマルチ接続モードであってもよく、通信接続モードがシングル接続モードである場合、ネットワーク側装置はＬＴＥ基地局又はＮＲ基地局（ｇＮＢ基地局とも呼称される）であってもよく、通信モードがデュアル接続モードである場合（具体的には、キャリアアグリゲーションＣＡ技術で実現でき、又は複数のネットワーク側装置で実現できる）、且つ端末が複数のネットワーク側装置に接続される場合、当該複数のネットワーク側装置はマスタ基地局ＭＣＧ及びセカンダリ基地局ＳＣＧであってもよく、基地局の間はバックホールｂａｃｋｈａｕｌを介してデータ返しを行い、マスタ基地局はＬＴＥ基地局で、セカンダリ基地局はＬＴＥ基地局であってもよく、又は、マスタ基地局はＮＲ基地局で、セカンダリ基地局はＬＴＥ基地局であってもよく、又は、
マスタ基地局はＮＲ基地局で、セカンダリ基地局はＮＲ基地局であってもよい。
【００１８】
本発明の実施例では、用語「ネットワーク」及び「システム」がしばしば交互に使用され、当業者はそれらの意味を理解できる。本発明の実施例所に関する端末は、無線通信機能を有する様々なハンドヘルド装置、車載装置、ウェアラブル装置、計算装置又は無線モデムに接続される他の処理装置、及び様々な形態のユーザ装置（ＵＥ：Ｕｓｅｒ  Ｅｑｕｉｐｍｅｎｔ、）、モバイルステーション（ＭＳ：Ｍｏｂｉｌｅ  Ｓｔａｔｉｏｎ）、端末装置（ｔｅｒｍｉｎａｌ  ｄｅｖｉｃｅ）等々を含む。説明の便宜上、上述の装置はまとめて端末と呼称される。
【００１９】
本発明の実施例に説明される送信側装置はネットワーク側装置であり、対応して、受信側装置は端末であってもよく、又は、送信側装置は端末であり、対応して、受信側装置はネットワーク側装置であってもよく、ここで限定しない。
【００２０】
以下、図面を参照しながら、本発明の実施例の技術案を詳細に説明する。
【００２１】
図２は本発明の実施例に係る、データマッピング伝送方法のフローチャートであり、送信側装置及び受信側装置を備える通信システムに適用され、当該方法は、以下の２０１〜２０４を含む。
【００２２】
２０１では、送信側装置は送信対象のデータをＮ個の符号化ブロックに分解し、上記Ｎ個の符号化ブロックを少なくともＭ個の符号化ブロック群に分け、任意の２つの符号化ブロック群に含まれる符号化ブロック数の差は設定値以下であり、Ｎ、Ｍが正整数で、ＮがＭ以上で、Ｍが２以上である。
【００２３】
１つの可能な例では、上記設定値は１である。当該設定値はシステムにより設定されてもよく、又はユーザにより設定されてもよく、ここで限定しない。
【００２４】
２０２では、上記送信側装置は上記Ｍ個の符号化ブロック群を１つ又は複数の伝送ユニットにマッピングしてベアラ伝送を行い、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にある。
【００２５】
上記「よりも前にある」は、期間全体が前にあることであってもよく、時間開始点を含む一部の期間が前にあることであってもよい。
【００２６】
２０３では、受信側装置は１つ又は複数の伝送ユニットにマッピングされたＭ個の符号化ブロック群を受信し、上記Ｍ個の符号化ブロック群はＮ個の符号化ブロックにより分けられ、上記Ｎ個の符号化ブロックは送信対象のデータにより分解され、任意の２つの符号化ブロック群に含まれる符号化ブロック数の差は設定値以下であり、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にあり、Ｎ、Ｍが正整数で、ＮがＭ以上で、Ｍが２以上である。
【００２７】
２０４では、上記受信側装置は上記Ｍ個の符号化ブロック群を受信した後に、上記Ｍ個の符号化ブロック群を復号する。
【００２８】
以上から分かるように、本発明の実施例では、通信システムにおける伝送対象のデータはＭ個の符号化ブロック群に分けられ、且つ当該Ｍ個の符号化ブロック群はＭ個の物理リソースにマッピングされてベアラ伝送が行われ、当該Ｍ個の物理リソースは第１符号化ブロック群に対応する第１物理リソース及び第２符号化ブロック群に対応する第２物理リソースを少なくとも含み、第１符号化ブロック群の情報量パラメータは第２符号化ブロック群の情報量パラメータより大きく、且つ第１物理リソースの時間領域位置は第２物理リソースの時間領域位置よりも前にあるので、Ｍ個の連続した符号化ブロック群のうち復号遅延が大きい符号化ブロック群に対応する物理リソースの時間領域位置が前にあり、対応する受信側装置は復号遅延が大きい符号化ブロック群を早く受信することができ、当該符号化ブロック群の復号遅延をできるだけ多くの後続符号化ブロック群の伝送遅延により相殺することができ、それによりデータ受信の全体的な遅延を減少させ、通信システムのデータ伝送効率を向上させ、ユーザエクスペリエンスを高めることに有利である。
【００２９】
１つの可能な例では、上記情報量パラメータは、
符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含む。
【００３０】
１つの可能な例では、上記予め設定された関係は、上記第１符号化ブロック群の情報量パラメータが上記第２符号化ブロック群の情報量パラメータより大きいことである。
【００３１】
１つの可能な例では、上記したＭ個の符号化ブロック群を１つ又は複数の伝送ユニットにマッピングしてベアラ伝送を行うことは、上記Ｍ個の符号化ブロック群における各符号化ブロック群の情報量を決定し、上記各符号化ブロックの情報量に基づいて上記各符号化ブロックの参照復号遅延を決定することと、上記各符号化ブロック群の参照復号遅延、及び予め設定された参照復号遅延と物理リソースの時間領域位置との対応関係に基づいて、上記各符号化ブロック群の物理リソースの時間領域位置を決定し、上記物理リソースは上記１つ又は複数の伝送ユニットにおいて上記符号化ブロック群を載せるための伝送リソースであることと、上記各符号化ブロック群の物理リソースの時間領域位置に基づいて、対応する物理リソースにおいて上記各符号化ブロック群のベアラ伝送を行うこととを含む。
【００３２】
上記対応関係は正比例対応関係であってもよく、当該正比例対応関係とは、符号化ブロック群の参照復号遅延が大きいほど、対応する物理リソースの時間領域位置が早いことを指し、又は対応する物理リソースの時間領域位置が前にあると理解できる。
【００３３】
１つの可能な例では、上記第１符号化ブロック群内の符号化ブロック数は上記第２符号化ブロック群内の符号化ブロック数より大きい。
【００３４】
それで分かるように、本例では、符号化ブロック数に差異が存在する符号化ブロック群に対して、送信側装置はリソースマッピングを行う場合、符号化ブロック数が多い符号化ブロック群を時間領域位置が前にある物理リソースに優先的にマッピングすることにより、当該符号化ブロック群の復号遅延をできるだけ多くの後続符号化ブロック群の伝送遅延により相殺することができ、それによりデータ受信の全体的な遅延を減少させ、データ伝送効率を向上させ、ユーザエクスペリエンスを高めることに有利である。
【００３５】
１つの可能な例では、上記第１符号化ブロック群内の符号化ブロック数は上記第２符号化ブロック群内の符号化ブロック数に等しく、第１符号化ブロック群内の符号化ブロックに使用される変調符号化レベルは上記第２符号化ブロック群内の符号化ブロックに使用される変調符号化レベルより高い。
【００３６】
それで分かるように、本例では、符号化ブロック数が同じ複数の符号化ブロック群に対して、送信側装置はリソースマッピングを行う場合、使用される変調符号化レベルが高い符号化ブロック群を時間領域リソースが前にある物理リソースに優先的にマッピングすることにより、当該符号化ブロック群の復号遅延をできるだけ多くの後続符号化ブロック群の伝送遅延により相殺することができ、それによりデータ受信の全体的な遅延を減少させ、データ伝送効率を向上させ、ユーザエクスペリエンスを高めることに有利である。
【００３７】
１つの可能な例では、上記第１符号化ブロック群内の符号化ブロック数は上記第２符号化ブロック群内の符号化ブロック数に等しく、第１符号化ブロック群内の符号化ブロックの符号化レートは上記第２符号化ブロック群内の符号化ブロックに使用される符号化レートより大きい。
【００３８】
それで分かるように、本例では、符号化ブロック数が同じ複数の符号化ブロック群に対して、送信側装置はリソースマッピングを行う場合、符号化レートが大きい符号化ブロック群を時間領域リソースが前にある物理リソースに優先的にマッピングすることにより、当該符号化ブロック群の復号遅延をできるだけ多くの後続符号化ブロック群の伝送遅延により相殺することができ、それによりデータ受信の全体的な遅延を減少させ、データ伝送効率を向上させ、ユーザエクスペリエンスを高めることに有利である。
【００３９】
１つの可能な例では、上記第１符号化ブロック群内の符号化ブロック数は上記第２符号化ブロック群内の符号化ブロック数に等しく、第１符号化ブロック群内の符号化ブロックの元ビット数は上記第２符号化ブロック群内の符号化ブロックの元ビット数より大きい。
【００４０】
それで分かるように、本例では、符号化ブロック数が同じ複数の符号化ブロック群に対して、送信側装置はリソースマッピングを行う場合、元ビット数が大きい符号化ブロック群を時間領域リソースが前にある物理リソースに優先的にマッピングすることにより、当該符号化ブロック群の復号遅延をできるだけ多くの後続符号化ブロック群の伝送遅延により相殺することができ、それによりデータ受信の全体的な遅延を減少させ、データ伝送効率を向上させ、ユーザエクスペリエンスを高めることに有利である。
【００４１】
１つの可能な例では、上記伝送ユニットは通信システムにより指定された伝送リソースを示し、上記物理リソースは周波数領域リソース又はコード領域リソースをさらに含む。
【００４２】
以下、具体的な応用場面を参照して、本発明の実施例を具体的に説明する。
【００４３】
図３Ａに示すように、送信側装置がネットワーク側装置であり、当該ネットワーク側装置が５Ｇ  ＮＲシステムにおけるｇＮＢであり、受信側装置が端末であり、当該端末が５Ｇ  ＮＲシステムにおけるユーザ装置であり、伝送対象のデータが１０個の符号化ブロックに分解され、当該１０個の符号化ブロックが４つの符号化ブロック群に分けられ、当該４つの符号化ブロック群がそれぞれ符号化ブロック群ＣＢＧ１〜ＣＢＧ４であり、含まれる符号化ブロック数がそれぞれ２、２、３、３であるとする。ｇＮＢは物理リソースへのマッピングを行う場合、当該４つの符号化ブロック群のために１つの伝送ユニットを割り当て、ＣＢＧ３を当該伝送ユニットの物理リソース１にマッピングし、ＣＢＧ４を当該伝送ユニットの物理リソース２にマッピングし、ＣＢＧ１を当該伝送ユニットの物理リソース３にマッピングし、ＣＢＧ２を当該伝送ユニットの物理リソース４にマッピングし、且つ物理リソース１の時間領域位置の開始点が物理リソース２の時間領域位置よりも前にあり、物理リソース２の時間領域位置が物理リソース３の時間領域位置よりも前にあり、物理リソース３の時間領域位置が物理リソース４の時間領域位置よりも前にある。ｇＮＢは上記物理リソース１−４において対応する符号化ブロック群のベアラ伝送を行い、ユーザ装置は上記物理リソース１−４において対応する符号化ブロック群を受信し、当該４つの符号化ブロック群を受信した後に、各符号化ブロック群を復号する。
【００４４】
図３Ｂに示すように、送信側装置が端末であり、当該端末が５Ｇ  ＮＲシステムにおけるユーザ装置であり、受信側装置がネットワーク側装置であり、当該ネットワーク側装置が５Ｇ  ＮＲシステムにおけるｇＮＢであり、伝送対象のデータが８つの符号化ブロックに分解され、上記８つの符号化ブロックが４つの符号化ブロック群に分けられ、それぞれ符号化ブロック群ＣＢＧ１〜ＣＢＧ４であり、各ＣＢＧが２つの符号化ブロックを含むとする。符号化ブロックに使用される変調符号化レベルの順序は、ＣＢＧ２＞ＣＢＧ３＞ＣＢＧ１＞ＣＢＧ４である。端末は物理リソースへのマッピングを行う場合、当該４つの符号化ブロック群のために２つの伝送ユニットを割り当て、ＣＢＧ２を当該２つの伝送ユニットの物理リソース１にマッピングし、ＣＢＧ３を当該２つの伝送ユニットの物理リソース２にマッピングし、ＣＢＧ１を当該２つの伝送ユニットの物理リソース３にマッピングし、ＣＢＧ４を当該２つの伝送ユニットの物理リソース４にマッピングし、且つ物理リソース１の時間領域位置が物理リソース２の時間領域位置よりも前にあり、物理リソース２の時間領域位置が物理リソース３の時間領域位置よりも前にあり、物理リソース３の時間領域位置が物理リソース４の時間領域位置よりも前にある。ｇＮＢは上記物理リソース１−４において対応する符号化ブロック群のベアラ伝送を行い、ユーザ装置は上記物理リソース１−４において対応する符号化ブロック群を受信し、当該４つの符号化ブロック群を受信した後に、各符号化ブロック群を復号する。
【００４５】
上記図２に示す実施例と一致し、図４は本発明の実施例に係る送信側装置の構造模式図であり、図面に示すように、当該送信側装置はプロセッサ、メモリ、ＲＦチップ及びプログラムを備え、上記プログラムは、上記メモリに記憶され、上記プロセッサにより実行されるように設定され、上記プログラムは以下のステップを実行するための指令を含む。
【００４６】
送信対象のデータをＮ個の符号化ブロックに分解し、上記Ｎ個の符号化ブロックを少なくともＭ個の符号化ブロック群に分け、任意の２つの符号化ブロック群に含まれる符号化ブロック数の差は設定値以下であり、Ｎ、Ｍが正整数で、ＮがＭ以上で、Ｍが２以上であり、
上記Ｍ個の符号化ブロック群を１つ又は複数の伝送ユニットにマッピングしてベアラ伝送を行い、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にある。
【００４７】
以上から分かるように、本発明の実施例では、通信システムにおける伝送対象のデータはＭ個の符号化ブロック群に分けられ、且つ当該Ｍ個の符号化ブロック群はＭ個の物理リソースにマッピングされてベアラ伝送が行われ、当該Ｍ個の物理リソースは第１符号化ブロック群に対応する第１物理リソース及び第２符号化ブロック群に対応する第２物理リソースを少なくとも含み、第１符号化ブロック群の情報量パラメータは第２符号化ブロック群の情報量パラメータより大きく、且つ第１物理リソースの時間領域位置は第２物理リソースの時間領域位置よりも前にあるので、Ｍ個の連続した符号化ブロック群のうち復号遅延が大きい符号化ブロック群に対応する物理リソースの時間領域位置が前にあり、対応する受信側装置は復号遅延が大きい符号化ブロック群を早く受信することができ、当該符号化ブロック群の復号遅延をできるだけ多くの後続符号化ブロック群の伝送遅延により相殺することができ、それによりデータ受信の全体的な遅延を減少させ、通信システムのデータ伝送効率を向上させ、ユーザエクスペリエンスを高めることに有利である。
【００４８】
１つの可能な例では、上記情報量パラメータは、符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含む。
【００４９】
１つの可能な例では、上記予め設定された関係は、上記第１符号化ブロック群の情報量パラメータが上記第２符号化ブロック群の情報量パラメータより大きいことである。
【００５０】
１つの可能な例では、上記第１符号化ブロック群内の符号化ブロック数は上記第２符号化ブロック群内の符号化ブロック数より大きい。
【００５１】
１つの可能な例では、上記第１符号化ブロック群内の符号化ブロック数は上記第２符号化ブロック群内の符号化ブロック数に等しく、第１符号化ブロック群内の符号化ブロックに使用される変調符号化レベルは上記第２符号化ブロック群内の符号化ブロックに使用される変調符号化レベルより高い。
【００５２】
１つの可能な例では、上記第１符号化ブロック群内の符号化ブロック数は上記第２符号化ブロック群内の符号化ブロック数に等しく、第１符号化ブロック群内の符号化ブロックの符号化レートは上記第２符号化ブロック群内の符号化ブロックに使用される符号化レートより大きい。
【００５３】
１つの可能な例では、上記第１符号化ブロック群内の符号化ブロック数は上記第２符号化ブロック群内の符号化ブロック数に等しく、第１符号化ブロック群内の符号化ブロックの元ビット数は上記第２符号化ブロック群内の符号化ブロックの元ビット数より大きい。
【００５４】
１つの可能な例では、上記伝送ユニットは通信システムにより指定された伝送リソースを示し、
上記物理リソースは周波数領域リソース又はコード領域リソースをさらに含む。
【００５５】
上記図２に示す実施例と一致し、図５は本発明の実施例に係る受信側装置の構造模式図であり、図面に示すように、当該受信側装置はプロセッサ、メモリ、通信インタフェース及びプログラムを備え、上記プログラムは、上記メモリに記憶され、上記プロセッサにより実行されるように設定され、上記プログラムは以下のステップを実行するための指令を含む。
【００５６】
１つ又は複数の伝送ユニットにマッピングされたＭ個の符号化ブロック群を受信し、上記Ｍ個の符号化ブロック群はＮ個の符号化ブロックにより分けられ、上記Ｎ個の符号化ブロックは送信対象のデータにより分解され、任意の２つの符号化ブロック群に含まれる符号化ブロック数の差は設定値以下であり、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にあり、Ｎ、Ｍが正整数で、ＮがＭ以上で、Ｍが２以上であり、
上記Ｍ個の符号化ブロック群を受信した後に、上記Ｍ個の符号化ブロック群を復号する。
【００５７】
以上から分かるように、本発明の実施例では、通信システムにおける伝送対象のデータはＭ個の符号化ブロック群に分けられ、且つ当該Ｍ個の符号化ブロック群はＭ個の物理リソースにマッピングされてベアラ伝送が行われ、当該Ｍ個の物理リソースは第１符号化ブロック群に対応する第１物理リソース及び第２符号化ブロック群に対応する第２物理リソースを少なくとも含み、第１符号化ブロック群の情報量パラメータは第２符号化ブロック群の情報量パラメータより大きく、且つ第１物理リソースの時間領域位置は第２物理リソースの時間領域位置よりも前にあるので、Ｍ個の連続した符号化ブロック群のうち復号遅延が大きい符号化ブロック群に対応する物理リソースの時間領域位置が前にあり、対応する受信側装置は復号遅延が大きい符号化ブロック群を早く受信することができ、当該符号化ブロック群の復号遅延をできるだけ多くの後続符号化ブロック群の伝送遅延により相殺することができ、それによりデータ受信の全体的な遅延を減少させ、通信システムのデータ伝送効率を向上させ、ユーザエクスペリエンスを高めることに有利である。
【００５８】
１つの可能な例では、上記情報量パラメータは、符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含む。
【００５９】
１つの可能な例では、上記予め設定された関係は、上記第１符号化ブロック群の情報量パラメータが上記第２符号化ブロック群の情報量パラメータより大きいことである。
【００６０】
１つの可能な例では、上記第１符号化ブロック群内の符号化ブロック数は上記第２符号化ブロック群内の符号化ブロック数より大きい。
【００６１】
１つの可能な例では、上記第１符号化ブロック群内の符号化ブロック数は上記第２符号化ブロック群内の符号化ブロック数に等しく、第１符号化ブロック群内の符号化ブロックに使用される変調符号化レベルは上記第２符号化ブロック群内の符号化ブロックに使用される変調符号化レベルより高い。
【００６２】
１つの可能な例では、上記第１符号化ブロック群内の符号化ブロック数は上記第２符号化ブロック群内の符号化ブロック数に等しく、第１符号化ブロック群内の符号化ブロックの符号化レートは上記第２符号化ブロック群内の符号化ブロックに使用される符号化レートより大きい。
【００６３】
１つの可能な例では、上記第１符号化ブロック群内の符号化ブロック数は上記第２符号化ブロック群内の符号化ブロック数に等しく、第１符号化ブロック群内の符号化ブロックの元ビット数は上記第２符号化ブロック群内の符号化ブロックの元ビット数より大きい。
【００６４】
１つの可能な例では、上記伝送ユニットは通信システムにより指定された伝送リソースを示し、上記物理リソースは周波数領域リソース又はコード領域リソースをさらに含む。
【００６５】
上記は、主に各ネットワーク要素間の相互作用の観点から本発明の実施例の技術案を説明した。なお、上記機能を実現するために、送信側装置及び受信側装置は、各機能を実行するための対応するハードウェア構造及び／又はソフトウェアモジュールを備える。当業者であれば、本明細書に開示されている実施例に説明される各例のユニット及びアルゴリズムステップを組み合わせて、ハードウェア又はハードウェアとコンピュータソフトウェアとの組み合わせで本発明を実現できることを容易に理解できる。ある機能をハードウェア方式、それともコンピュータソフトウェアがハードウェアを駆動する方式で実行するかは、技術案の特定の応用及び設計制約条件に決められる。当業者は、説明される機能を実現するために、各特定の応用に対して異なる方法を使用することができるが、このような実現は本発明の範囲を超えると見なされるべきではない。
【００６６】
本発明の実施例は、上記方法例に基づいて送信側装置及び受信側装置に対して機能ユニットの分割を行うことができ、たとえば、各機能に対応して各機能ユニットを分割してもよく、２つ又は２つ以上の機能を１つの処理ユニットに集積してもよい。上記集積されたユニットはハードウェアの形態で実現されてもよく、ソフトウェアプログラムモジュールの形態で実現されてもよい。なお、本発明の実施例におけるユニットの分割は模式的なものであり、論理的な機能分割に過ぎず、実際の実現時に他の分割方法を有してもよい。
【００６７】
集積されたユニットを採用する場合、図６は、本発明の実施例に係る、データマッピング伝送装置の１つの可能な機能ユニットの構成ブロック図を示し、当該データマッピング伝送装置は上記実施例に記載の送信側装置に適用される。当該データマッピング伝送装置６００は、分解ユニット６０１及び伝送ユニット６０２を備え、
上記分解ユニット６０１は、送信対象のデータをＮ個の符号化ブロックに分解し、上記Ｎ個の符号化ブロックを少なくともＭ個の符号化ブロック群に分けるように構成され、任意の２つの符号化ブロック群に含まれる符号化ブロック数の差は設定値以下であり、Ｎ、Ｍが正整数で、ＮがＭ以上で、Ｍが２以上である。
【００６８】
上記伝送ユニット６０２は、上記Ｍ個の符号化ブロック群を１つ又は複数の伝送ユニットにマッピングしてベアラ伝送を行うように構成され、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にある。
【００６９】
１つの可能な例では、上記情報量パラメータは、符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含む。
【００７０】
１つの可能な例では、上記予め設定された関係は、上記第１符号化ブロック群の情報量パラメータが上記第２符号化ブロック群の情報量パラメータより大きいことである。
【００７１】
１つの可能な例では、上記第１符号化ブロック群内の符号化ブロック数は上記第２符号化ブロック群内の符号化ブロック数より大きい。
【００７２】
１つの可能な例では、上記第１符号化ブロック群内の符号化ブロック数は上記第２符号化ブロック群内の符号化ブロック数に等しく、第１符号化ブロック群内の符号化ブロックに使用される変調符号化レベルは上記第２符号化ブロック群内の符号化ブロックに使用される変調符号化レベルより高い。
【００７３】
１つの可能な例では、上記第１符号化ブロック群内の符号化ブロック数は上記第２符号化ブロック群内の符号化ブロック数に等しく、第１符号化ブロック群内の符号化ブロックの符号化レートは上記第２符号化ブロック群内の符号化ブロックに使用される符号化レートより大きい。
【００７４】
１つの可能な例では、上記第１符号化ブロック群内の符号化ブロック数は上記第２符号化ブロック群内の符号化ブロック数に等しく、第１符号化ブロック群内の符号化ブロックの元ビット数は上記第２符号化ブロック群内の符号化ブロックの元ビット数より大きい。
【００７５】
１つの可能な例では、上記伝送ユニットは通信システムにより指定された伝送リソースを示し、上記物理リソースは周波数領域リソース又はコード領域リソースをさらに含む。
【００７６】
分解ユニット６０１はプロセッサであってもよく、伝送ユニット６０２はＲＦチップ等であってもよい。
【００７７】
分解ユニット６０１がプロセッサで、伝送ユニット６０２が通信インタフェースである場合、本発明の実施例に関するデータマッピング伝送装置は図４に示す送信側装置であってもよい。
【００７８】
集積されたユニットを採用する場合、図７は、本発明の実施例に係る、データマッピング伝送装置の１つの可能な機能ユニットの構成ブロック図を示し、当該データマッピング伝送装置は受信側装置に適用される。データマッピング伝送装置７００は受信ユニット７０１及び復号ユニット７０２を備え、
上記受信ユニット７０１は、１つ又は複数の伝送ユニットにマッピングされたＭ個の符号化ブロック群を受信するように構成され、上記Ｍ個の符号化ブロック群はＮ個の符号化ブロックにより分けられ、上記Ｎ個の符号化ブロックは送信対象のデータにより分解され、任意の２つの符号化ブロック群に含まれる符号化ブロック数の差は設定値以下であり、上記Ｍ個の符号化ブロック群は少なくとも第１符号化ブロック群及び第２符号化ブロック群を含み、上記１つ又は複数の伝送ユニットは上記第１符号化ブロック群に対応する第１物理リソース及び上記第２符号化ブロック群に対応する第２物理リソースを少なくとも含み、上記第１符号化ブロック群の情報量パラメータと上記第２符号化ブロック群の情報量パラメータとは予め設定された関係を満たし、上記第１物理リソースの時間領域位置は上記第２物理リソースの時間領域位置よりも前にあり、Ｎ、Ｍが正整数で、ＮがＭ以上で、Ｍが２以上である。
【００７９】
上記復号ユニット７０２は、上記Ｍ個の符号化ブロック群を受信した後に、上記Ｍ個の符号化ブロック群を復号するように構成される。
【００８０】
１つの可能な例では、上記情報量パラメータは、符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含む。
【００８１】
１つの可能な例では、上記予め設定された関係は、上記第１符号化ブロック群の情報量パラメータが上記第２符号化ブロック群の情報量パラメータより大きいことである。
【００８２】
１つの可能な例では、上記第１符号化ブロック群内の符号化ブロック数は上記第２符号化ブロック群内の符号化ブロック数より大きい。
【００８３】
１つの可能な例では、上記第１符号化ブロック群内の符号化ブロック数は上記第２符号化ブロック群内の符号化ブロック数に等しく、第１符号化ブロック群内の符号化ブロックに使用される変調符号化レベルは上記第２符号化ブロック群内の符号化ブロックに使用される変調符号化レベルより高い。
【００８４】
１つの可能な例では、上記第１符号化ブロック群内の符号化ブロック数は上記第２符号化ブロック群内の符号化ブロック数に等しく、第１符号化ブロック群内の符号化ブロックの符号化レートは上記第２符号化ブロック群内の符号化ブロックに使用される符号化レートより大きい。
【００８５】
１つの可能な例では、上記第１符号化ブロック群内の符号化ブロック数は上記第２符号化ブロック群内の符号化ブロック数に等しく、第１符号化ブロック群内の符号化ブロックの元ビット数は上記第２符号化ブロック群内の符号化ブロックの元ビット数より大きい。
【００８６】
１つの可能な例では、上記伝送ユニットは通信システムにより指定された伝送リソースを示し、上記物理リソースは周波数領域リソース又はコード領域リソースをさらに含む。
【００８７】
受信ユニット７０１は通信インタフェースであってもよく、復号ユニット７０２はプロセッサであってもよい。
【００８８】
受信ユニット７０１が通信インタフェースで、復号ユニット７０２がプロセッサである場合、本発明の実施例に関するデータマッピング伝送装置は図５に示す受信側装置であってもよい。
【００８９】
本発明の実施例はさらにコンピュータ記憶媒体を提供し、本発明の実施例に記載のいずれかのステップをコンピュータに実行させるコンピュータプログラムを記憶し、上記コンピュータは受信側装置及び送信側装置を備える。
【００９０】
本発明の実施例はさらにコンピュータプログラム製品を提供し、本発明の実施例に記載のいずれかのステップをコンピュータに実行させるコンピュータプログラムを含み、上記コンピュータは受信側装置及び送信側装置を備える。
【００９１】
本発明の実施例に説明される方法又はアルゴリズムのステップは、ハードウェアの方式で実現されてもよく、プロセッサがソフトウェア指令を実行する方式で実現されてもよい。ソフトウェア指令は対応するソフトウェアモジュールから構成でき、ソフトウェアモジュールは、ランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的ＥＰＲＯＭ（ＥＥＰＲＯＭ：Ｅｌｅｃｔｒｉｃａｌｌｙ  ＥＰＲＯＭ）、レジスタ、ハードディスク、モバイルディスク、読み出し専用光ディスク（ＣＤ−ＲＯＭ）又は本分野の公知のいずれかの他の形態の記憶媒体に記憶される。１つの例示的な記憶媒体がプロセッサに結合されることにより、プロセッサは当該記憶媒体から情報を読み取り、当該記憶媒体に情報を書き込むことができる。もちろん、記憶媒体はプロセッサの構成部分であってもよい。プロセッサ及び記憶媒体はＡＳＩＣにあってもよい。また、当該ＡＳＩＣはアクセスネットワーク装置、対象ネットワーク装置又はコアネットワーク装置にあってもよい。もちろん、プロセッサ及び記憶媒体は個別ユニットとしてアクセスネットワーク装置、対象ネットワーク装置又はコアネットワーク装置に存在してもよい。
【００９２】
当業者であれば、上記１つ又は複数の例では、本発明の実施例に説明される機能の全部又は一部をソフトウェア、ハードウェア、ファームウェア又はそれらの任意の組み合わせで実現できることを理解できる。ソフトウェアで実現する場合、全部又は一部をコンピュータプログラム製品の形態で実現できる。前記コンピュータプログラム製品は１つ又は複数のコンピュータ指令を含む。コンピュータにおいて前記コンピュータプログラム指令をロードし、実行するときに、本発明の実施例に記載のプロセス又は機能を全部又は部分的に発生させる。前記コンピュータは汎用コンピュータ、専用コンピュータ、コンピュータネットワーク、又は他のプログラマブル装置であってもよい。前記コンピュータ指令は、コンピュータ記憶媒体に記憶されてもよく、又は１つのコンピュータ記憶媒体から別のコンピュータ記憶媒体へ伝送されてもよく、たとえば、前記コンピュータ指令は、１つのウエブサイト、コンピュータ、サーバ又はデータセンターから有線（たとえば同軸ケーブル、光ファイバー、デジタル加入者線（ＤＳＬ：Ｄｉｇｉｔａｌ  Ｓｕｂｓｃｒｉｂｅｒ  Ｌｉｎｅ）又は無線（たとえば赤外線、無線、マイクロ波等）方式で別のウエブサイト、コンピュータ、サーバ又はデータセンターへベアラ伝送が行われる。前記コンピュータ記憶媒体は、コンピュータがアクセスできるいずれかの可用媒体であってもよく、又は１つ又は複数の可用媒体を含んで集積されるサーバ、データセンター等のデータ記憶装置であってもよい。前記可用媒体は、磁気媒体（たとえば、フロッピーディスク、ハードディスク、テープ）、光媒体（たとえば、デジタルビデオディスク（ＤＶＤ：Ｄｉｇｉｔａｌ  Ｖｉｄｅｏ  Ｄｉｓｃ）、又は半導体媒体（たとえば、ソリッドステートディスク（ＳＳＤ：Ｓｏｌｉｄ  Ｓｔａｔｅ  Ｄｉｓｋ）等であってもよい。
【００９３】
以上の実施形態は、本発明の実施例の目的、技術案及び有益な効果をより詳細に説明しており、なお、以上は本発明の実施例の実施形態に過ぎず、本発明の実施例の保護範囲を限定するためのものではなく、本発明の実施例の技術案に基づいて行われるいずれかの修正、同等置換、改良等は、本発明の実施例の保護範囲内に含まれる。
【図１】
2020528227.tif 000003
【図２】
2020528227.tif 000004
【図３Ａ】
2020528227.tif 000005
【図３Ｂ】
2020528227.tif 000006
【図４】
2020528227.tif 000007
【図５】
2020528227.tif 000008
【図６】
2020528227.tif 000009
【図７】
2020528227.tif 000010
【手続補正書】
【提出日】令和2年5月13日(2020.5.13)
【手続補正１】
【補正対象書類名】明細書
【補正対象項目名】００１７
【補正方法】変更
【補正の内容】
【００１７】
図１は本発明の実施例に係る例示的な通信システムの可能なネットワークアーキテクチャである。当該例示的な通信システムは、たとえばグローバル移動通信システム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、時分割多元接続（ＴＤＭＡ：Ｔｉｍｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）、周波数分割多元接続（ＦＤＭＡ：Ｆｒｅｑｕｅｎｃｙ  Ｄｉｖｉｓｉｏｎ  Ｍｕｌｔｉｐｌｅ  Ａｄｄｒｅｓｓｉｎｇ）システム、直交周波数分割多元接続（ＯＦＤＭＡ：Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、単一搬送波ＦＤＭＡ（ＳＣ−ＦＤＭＡ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、ＬＴＥシステム、５Ｇ  ＮＲシステム及び他のこのような通信システムであってもよい。当該例示的な通信システムは具体的にネットワーク側装置及び端末を備え、端末はネットワーク側装置により提供された移動通信ネットワークにアクセスするときに、ネットワーク側装置と無線リンクで通信接続でき、当該通信接続モードはシングル接続モード又はデュアル接続モード又はマルチ接続モードであってもよく、通信接続モードがシングル接続モードである場合、ネットワーク側装置はＬＴＥ基地局又はＮＲ基地局（ｇＮＢ基地局とも呼称される）であってもよく、通信モードがデュアル接続モードである場合（具体的には、キャリアアグリゲーションＣＡ技術で実現でき、又は複数のネットワーク側装置で実現できる）、且つ端末が複数のネットワーク側装置に接続される場合、当該複数のネットワーク側装置はマスタ基地局ＭｅＮＢ及びセカンダリ基地局ＳｅＮＢであってもよく、基地局の間はバックホールｂａｃｋｈａｕｌを介してデータ返しを行い、マスタ基地局はＬＴＥ基地局で、セカンダリ基地局はＬＴＥ基地局であってもよく、又は、マスタ基地局はＮＲ基地局で、セカンダリ基地局はＬＴＥ基地局であってもよく、又は、マスタ基地局はＮＲ基地局で、セカンダリ基地局はＮＲ基地局であってもよい。
【手続補正２】
【補正対象書類名】明細書
【補正対象項目名】００３１
【補正方法】変更
【補正の内容】
【００３１】
１つの可能な例では、上記したＭ個の符号化ブロック群を１つ又は複数の伝送ユニットにマッピングしてベアラ伝送を行うことは、上記Ｍ個の符号化ブロック群における各符号化ブロック群の情報量を決定し、上記各符号化ブロック群の情報量に基づいて上記各符号化ブロック群の参照復号遅延を決定することと、上記各符号化ブロック群の参照復号遅延、及び予め設定された参照復号遅延と物理リソースの時間領域位置との対応関係に基づいて、上記各符号化ブロック群の物理リソースの時間領域位置を決定し、上記物理リソースは上記１つ又は複数の伝送ユニットにおいて上記符号化ブロック群を載せるための伝送リソースであることと、上記各符号化ブロック群の物理リソースの時間領域位置に基づいて、対応する物理リソースにおいて上記各符号化ブロック群のベアラ伝送を行うこととを含む。  
【手続補正３】
【補正対象書類名】明細書
【補正対象項目名】００４４
【補正方法】変更
【補正の内容】
【００４４】
図３Ｂに示すように、送信側装置が端末であり、当該端末が５Ｇ  ＮＲシステムにおけるユーザ装置であり、受信側装置がネットワーク側装置であり、当該ネットワーク側装置が５Ｇ  ＮＲシステムにおけるｇＮＢであり、伝送対象のデータが８つの符号化ブロックに分解され、上記８つの符号化ブロックが４つの符号化ブロック群に分けられ、それぞれ符号化ブロック群ＣＢＧ１〜ＣＢＧ４であり、各ＣＢＧが２つの符号化ブロックを含むとする。符号化ブロックに使用される変調符号化レベルの順序は、ＣＢＧ２＞ＣＢＧ３＞ＣＢＧ１＞ＣＢＧ４である。端末は物理リソースへのマッピングを行う場合、当該４つの符号化ブロック群のために２つの伝送ユニットを割り当て、ＣＢＧ２を当該２つの伝送ユニットの物理リソース１にマッピングし、ＣＢＧ３を当該２つの伝送ユニットの物理リソース２にマッピングし、ＣＢＧ１を当該２つの伝送ユニットの物理リソース３にマッピングし、ＣＢＧ４を当該２つの伝送ユニットの物理リソース４にマッピングし、且つ物理リソース１の時間領域位置が物理リソース２の時間領域位置よりも前にあり、物理リソース２の時間領域位置が物理リソース３の時間領域位置よりも前にあり、物理リソース３の時間領域位置が物理リソース４の時間領域位置よりも前にある。ユーザ装置は上記物理リソース１−４において対応する符号化ブロック群のベアラ伝送を行い、ｇＮＢは上記物理リソース１−４において対応する符号化ブロック群を受信し、当該４つの符号化ブロック群を受信した後に、各符号化ブロック群を復号する。
【手続補正４】
【補正対象書類名】明細書
【補正対象項目名】００７７
【補正方法】変更
【補正の内容】
【００７７】
分解ユニット６０１がプロセッサで、伝送ユニット６０２がＲＦチップである場合、本発明の実施例に関するデータマッピング伝送装置は図４に示す送信側装置であってもよい。
【手続補正５】
【補正対象書類名】特許請求の範囲
【補正対象項目名】全文
【補正方法】変更
【補正の内容】
【特許請求の範囲】
【請求項１】
データマッピング伝送方法であって、
送信対象のデータをＮ個の符号化ブロックに分解し、前記Ｎ個の符号化ブロックをＭ個の符号化ブロック群に分け、任意の２つの符号化ブロック群に含まれる符号化ブロック数の差は設定値以下であり、Ｎ、Ｍが正整数で、ＮがＭ以上で、Ｍが２以上であるステップと、
前記Ｍ個の符号化ブロック群を１つ又は複数の伝送ユニットにマッピングしてベアラ伝送を行い、前記Ｍ個の符号化ブロック群は第１符号化ブロック群及び第２符号化ブロック群を含み、前記第１符号化ブロック群の情報量パラメータの値と前記第２符号化ブロック群の情報量パラメータの値とは予め設定された関係を満たし、前記１つ又は複数の伝送ユニットは前記第１符号化ブロック群に対応する第１物理リソース及び前記第２符号化ブロック群に対応する第２物理リソースを含み、前記第１物理リソースの時間領域位置は前記第２物理リソースの時間領域位置よりも前にあるステップと、を含むことを特徴とする
データマッピング伝送方法。
【請求項２】
前記情報量パラメータは、
符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含むことを特徴とする
請求項１に記載の方法。
【請求項３】
前記予め設定された関係は、前記第１符号化ブロック群の情報量パラメータの値が前記第２符号化ブロック群の情報量パラメータの値より大きいことであることを特徴とする
請求項１又は２に記載の方法。
【請求項４】
前記第１符号化ブロック群内の符号化ブロック数は前記第２符号化ブロック群内の符号化ブロック数より大きいことを特徴とする
請求項１−３のいずれか１項に記載の方法。
【請求項５】
前記第１符号化ブロック群内の符号化ブロック数は前記第２符号化ブロック群内の符号化ブロック数に等しく、第１符号化ブロック群内の符号化ブロックに使用される変調符号化レベルは前記第２符号化ブロック群内の符号化ブロックに使用される変調符号化レベルより高く、又は、
前記第１符号化ブロック群内の符号化ブロック数は前記第２符号化ブロック群内の符号化ブロック数に等しく、第１符号化ブロック群内の符号化ブロックの符号化レートは前記第２符号化ブロック群内の符号化ブロックに使用される符号化レートより大きく、又は、
前記第１符号化ブロック群内の符号化ブロック数は前記第２符号化ブロック群内の符号化ブロック数に等しく、第１符号化ブロック群内の符号化ブロックの元ビット数は前記第２符号化ブロック群内の符号化ブロックの元ビット数より大きいことを特徴とする
請求項１−３のいずれか１項に記載の方法。
【請求項６】
データマッピング伝送装置であって、送信側装置に適用され、前記装置は分解ユニット及び伝送ユニットを備え、
前記分解ユニットは、送信対象のデータをＮ個の符号化ブロックに分解し、前記Ｎ個の符号化ブロックをＭ個の符号化ブロック群に分けるように構成され、任意の２つの符号化ブロック群に含まれる符号化ブロック数の差は設定値以下であり、Ｎ、Ｍが正整数で、ＮがＭ以上で、Ｍが２以上であり、
前記伝送ユニットは、前記Ｍ個の符号化ブロック群を１つ又は複数の伝送ユニットにマッピングしてベアラ伝送を行うように構成され、前記Ｍ個の符号化ブロック群は第１符号化ブロック群及び第２符号化ブロック群を含み、前記第１符号化ブロック群の情報量パラメータの値と前記第２符号化ブロック群の情報量パラメータの値とは予め設定された関係を満たし、前記１つ又は複数の伝送ユニットは前記第１符号化ブロック群に対応する第１物理リソース及び前記第２符号化ブロック群に対応する第２物理リソースを含み、前記第１物理リソースの時間領域位置は前記第２物理リソースの時間領域位置よりも前にあることを特徴とする
データマッピング伝送装置。
【請求項７】
前記情報量パラメータは、
符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含むことを特徴とする
請求項６に記載の装置。
【請求項８】
前記予め設定された関係は、前記第１符号化ブロック群の情報量パラメータの値が前記第２符号化ブロック群の情報量パラメータの値より大きいことであることを特徴とする
請求項６又は７に記載の装置。
【請求項９】
前記第１符号化ブロック群内の符号化ブロック数は前記第２符号化ブロック群内の符号化ブロック数より大きいことを特徴とする
請求項６−８のいずれか１項に記載の装置。
【請求項１０】
前記第１符号化ブロック群内の符号化ブロック数は前記第２符号化ブロック群内の符号化ブロック数に等しく、第１符号化ブロック群内の符号化ブロックに使用される変調符号化レベルは前記第２符号化ブロック群内の符号化ブロックに使用される変調符号化レベルより高く、又は、
前記第１符号化ブロック群内の符号化ブロック数は前記第２符号化ブロック群内の符号化ブロック数に等しく、第１符号化ブロック群内の符号化ブロックの符号化レートは前記第２符号化ブロック群内の符号化ブロックに使用される符号化レートより大きく、又は、
前記第１符号化ブロック群内の符号化ブロック数は前記第２符号化ブロック群内の符号化ブロック数に等しく、第１符号化ブロック群内の符号化ブロックの元ビット数は前記第２符号化ブロック群内の符号化ブロックの元ビット数より大きい、
請求項６−８のいずれか１項に記載の装置。
【請求項１１】
データマッピング伝送装置であって、受信側装置に適用され、前記装置は受信ユニット及び復号ユニットを備え、
前記受信ユニットは、１つ又は複数の伝送ユニットにマッピングされたＭ個の符号化ブロック群を受信するように構成され、前記Ｍ個の符号化ブロック群はＮ個の符号化ブロックにより分けられ、前記Ｎ個の符号化ブロックは送信対象のデータにより分解され、任意の２つの符号化ブロック群に含まれる符号化ブロック数の差は設定値以下であり、前記Ｍ個の符号化ブロック群は第１符号化ブロック群及び第２符号化ブロック群を含み、前記第１符号化ブロック群の情報量パラメータの値と前記第２符号化ブロック群の情報量パラメータの値とは予め設定された関係を満たし、前記１つ又は複数の伝送ユニットは前記第１符号化ブロック群に対応する第１物理リソース及び前記第２符号化ブロック群に対応する第２物理リソースを含み、前記第１物理リソースの時間領域位置は前記第２物理リソースの時間領域位置よりも前にあり、Ｎ、Ｍが正整数で、ＮがＭ以上で、Ｍが２以上であり、
前記復号ユニットは、前記Ｍ個の符号化ブロック群を受信した後に、前記Ｍ個の符号化ブロック群を復号するように構成されることを特徴とする
データマッピング伝送装置。
【請求項１２】
前記情報量パラメータは、
符号化ブロック群内に含まれる符号化ブロック数、符号化ブロック群内に含まれる符号化ブロックの変調符号化レベル、符号化ブロック群内に含まれる符号化ブロックの符号化レート、符号化ブロック群内に含まれる元ビット情報数のうちの少なくとも１種を含むことを特徴とする、
請求項１１に記載の装置。
【請求項１３】
前記予め設定された関係は、前記第１符号化ブロック群の情報量パラメータの値が前記第２符号化ブロック群の情報量パラメータの値より大きいことであることを特徴とする、
請求項１１又は１２に記載の装置。
【請求項１４】
前記第１符号化ブロック群内の符号化ブロック数は前記第２符号化ブロック群内の符号化ブロック数より大きいことを特徴とする
請求項１１−１３のいずれか１項に記載の装置。
【請求項１５】
前記第１符号化ブロック群内の符号化ブロック数は前記第２符号化ブロック群内の符号化ブロック数に等しく、第１符号化ブロック群内の符号化ブロックに使用される変調符号化レベルは前記第２符号化ブロック群内の符号化ブロックに使用される変調符号化レベルより高く、又は、
前記第１符号化ブロック群内の符号化ブロック数は前記第２符号化ブロック群内の符号化ブロック数に等しく、第１符号化ブロック群内の符号化ブロックの符号化レートは前記第２符号化ブロック群内の符号化ブロックに使用される符号化レートより大きく、又は、
前記第１符号化ブロック群内の符号化ブロック数は前記第２符号化ブロック群内の符号化ブロック数に等しく、第１符号化ブロック群内の符号化ブロックの元ビット数は前記第２符号化ブロック群内の符号化ブロックの元ビット数より大きいことを特徴とする、
請求項１１−１３のいずれか１項に記載の装置。
【手続補正６】
【補正対象書類名】図面
【補正対象項目名】図３Ｂ
【補正方法】変更
【補正の内容】
【図３Ｂ】
2020528227.tif 000011
【国際調査報告】
2020528227.tif 000012
2020528227.tif 000013
2020528227.tif 000014
2020528227.tif 000015